(57)【要約】【課題】災害発生による停電時に、避難のための目印になり得る機能を付与することにより、災害発生時における避難経路を住人やテナントへ教唆することのできる掲示または筆記のための表示具を提供することを目的とする。【解決手段】前面に掲示物の貼付に供される表示面３を備える基板２と、基板２の端縁沿いに表示面３を取り囲むように設けられる縁枠４とで掲示板１が構成されている。縁枠４を構成する横枠材４１，４２および縦枠材４３，４４の前面には各枠材の幅より小幅の帯状領域がそれぞれ形成され、その帯状領域に蓄光テープ６を貼付することにより帯状をなす蓄光領域６０が各枠材の長さ方向に沿って形成されている。【選択図】図１
2013235116.tif 000002
【特許請求の範囲】
【請求項１】
前面に掲示物の貼付または筆記具により筆記に供される表示面を備える基板と、基板の端縁沿いに表示面を取り囲むように設けられる縁枠とで構成され、前記縁枠の前面側には、帯状をなす蓄光領域が縁枠の長さ方向に沿って形成されて成る掲示または筆記のための表示具。
【請求項２】
前記蓄光領域は、縁枠の前面に形成された縁枠の幅より小幅の帯状領域に蓄光テープを貼付して形成されている請求項１に記載された掲示または筆記のための表示具。
【請求項３】
前記帯状領域は、縁枠の前面に形成された２本の平行な切溝によって形成されている請求項２に記載された掲示または筆記のための表示具。
【請求項４】
前記表示面は、横長または縦長の矩形状であり、矩形の４辺のうちの少なくとも３辺が縁枠により取り囲まれるとともに、少なくも２辺に蓄光領域が形成されている請求項１に記載された掲示または筆記のための表示具。
【請求項５】
前記蓄光領域は、縁枠の前面側に蓄光塗料を一定幅に塗布して形成されている請求項１または４に記載された掲示または筆記のための表示具。
【発明の詳細な説明】
【技術分野】
【０００１】
この発明は、掲示板、ホワイトボード、黒板などの掲示または筆記のための表示具に関し、特にこの発明は、掲示物の貼付または筆記具による筆記に供される表示面が縁枠により取り囲まれた構造の掲示または筆記のための表示具に関する。
【背景技術】
【０００２】
従来の典型的な掲示板は、前面に掲示物の貼付に供される表示面を備える基板と、基板の端縁沿いに表示面を取り囲むように設けられる縁枠とで構成されている。この種の掲示板として、種々の工夫が施されたものがあり、例えば、縁枠を開閉可能な構造にして掲示物をワンタッチで着脱可能としたものなどが提案されている（例えば特許文献１参照）。その種の一般的な掲示板の他に、例えばバス停標識など、屋外に設置される特殊な掲示板として、夜間においても、蓄光層による発光によって掲示板の表示内容が視認可能としたものなども提案されている（例えば特許文献２参照）。
【先行技術文献】
【特許文献】
【０００３】
【特許文献１】特開２０００−５００６号公報
【特許文献２】特開２００６−４９６０２号公報
【発明の概要】
【発明が解決しようとする課題】
【０００４】
特許文献２に記載された特定用途の掲示板は、所定の情報が描画された透過性シートをその背後に位置する蓄光層による光で照明する構成のものであるが、紙などの非透光性シートについては、蓄光による背後からの照明は困難であるため、前記した典型的な掲示板の表示面に蓄光層を設けることは意味がない。
ところで、マンション、商業ビルなどでは、１階の玄関ホールなどに、住人やテナントなどへ情報を伝達するための掲示板やホワイトボードなどが設置されている。この種の掲示板には、一般的に印刷物を鋲で止めるだけの典型的な掲示板が用いられている。この種用途の掲示板やホワイトボードは、夜間は照明がなければ印刷物の内容や筆記文字が視認できないため、昼光下または照明下において本来の働きをなすのみで、照明のない暗闇の下では有用な機能を有していない。
【０００５】
この発明は、マンションや商業ビルの玄関ホールなどに設置される掲示板やホワイトボードは住人やテナントが常に見ており、その設置位置が周知されていることに着目し、災害発生による停電時に、避難のための目印になり得る機能を付与することにより、災害発生時における避難経路を住人やテナントへ教唆することのできる掲示または筆記のための表示具を提供することを目的とする。
【課題を解決するための手段】
【０００６】
この発明による掲示または筆記のための表示具は、前面に掲示物の貼付または筆記具により筆記に供される表示面を備える基板と、基板の端縁沿いに表示面を取り囲むように設けられる縁枠とで構成され、前記縁枠の前面側には、帯状をなす蓄光領域が縁枠の長さ方向に沿って形成されている。
【０００７】
上記した構成の掲示または筆記のための表示具においては、基板の表示面を取り囲む縁枠の前面側に帯状の蓄光領域が縁枠の長さ方向に沿って形成されているので、照明のない暗闇の下で縁枠の長さ方向に沿う帯状の蓄光領域が光を発し、表示具の存在位置を認識することができる。マンションや商業ビルなどに設置される掲示板やホワイトボードなどはその設置位置が住人やテナントなどに認識されており、災害発生による停電時に、縁枠沿いの帯状の蓄光領域が光を発して避難のための目印になるので、住人やテナントなどに避難経路が教唆され、近傍の玄関口より屋外へ脱出することが可能となる。
【０００８】
この発明の好ましい実施態様においては、前記蓄光領域は、縁枠の前面に形成された縁枠の幅より小幅の帯状領域に蓄光テープを貼付して形成されている。
この実施態様においては、蓄光テープを用いて蓄光領域を簡単に形成でき、蓄光領域を形成することによる製品コストの高騰が抑えられる。
【０００９】
前記帯状領域は、縁枠の前面に形成された２本の平行な切溝によって形成される他、２本の平行な凸条によっても形成可能であり、さらに、１本の凹溝部の帯状をなす溝底部や１本の突状部の帯状をなす頂面によっても形成可能である。
この実施態様によると、２本の切溝をガイドとして切溝間の帯状領域に蓄光テープを貼付するなどして、蓄光領域を簡単に形成することができる。
【００１０】
この発明の上記した構成において、前記表示面は、好ましくは横長または縦長の矩形状であり、さらに好ましくは、矩形の４辺のうちの少なくとも３辺が縁枠により取り囲まれるとともに、少なくも２辺に蓄光領域が形成されている。
この実施態様によると、表示面の全幅、全長さにわたって光を発するので、暗闇の下での目印としての機能が高められる。
【００１１】
なお、前記蓄光領域は、蓄光テープを縁枠の前面側に貼付することに代えて、縁枠の前面に蓄光塗料を一定幅に塗布して形成することも可能である。
【発明の効果】
【００１２】
この発明によれば、表示面を取り囲む縁枠に沿う帯状の蓄光領域が光を発するので、照明がない暗闇であっても、表示具の存在位置がわかり、災害発生による停電時に、避難のための目印となり、避難経路を住人やテナントへ教唆することができる。
【図面の簡単な説明】
【００１３】
【図１】この発明の一実施例である掲示板の正面図である。
【図２】図１の実施例における蓄光領域の構成を示す断面図である。
【図３】蓄光領域の他の実施例を示す断面図である。
【図４】蓄光領域の他の実施例を示す断面図である。
【図５】蓄光領域の他の実施例を示す断面図である。
【図６】他の実施例の掲示板を示す正面図である。
【図７】図６の実施例の蓄光領域の構成を示す断面図である。
【図８】他の実施例の掲示板を示す正面図である。
【図９】図８の実施例の蓄光領域の構成を示す断面図である。
【図１０】この発明の他の実施例であるホワイトボードの正面図である。
【図１１】他の実施例を示す斜視図である。
【図１２】蓄光領域の他の配置例を示す説明図である。
【図１３】蓄光領域の他の配置例を示す説明図である。
【図１４】蓄光領域の他の配置例を示す説明図である。
【図１５】表示面の他の形態を示す説明図である。
【発明を実施するための形態】
【００１４】
図１は、この発明の一実施例である掲示板１を示すが、この発明は、掲示板のような掲示のための表示具に限らず、後述するホワイトボードや黒板のように筆記のための表示具にも適用できる。
図示例の掲示板１は、前面に掲示物の貼付に供される表示面３を有する基板２と、基板２の端縁沿いに表示面３を全周にわたって取り囲むように設けられる縁枠４とで構成される。この掲示板１は、図示しない金具によって壁面に取付け固定される。表示面３は横に長い矩形状であり、印刷物などの掲示のためのシートを画鋲により止めることが可能である。
【００１５】
基板２は、例えばベニヤ合板やパーティクルボードなどにより形成された基材の表面に、画鋲を突き刺すことが可能な厚みを有する表装シートが貼設されて成るものであるが、永久磁石製の固定具によって掲示物が固定できるよう内部に磁性層を積層することも可能である。
【００１６】
縁枠４は、アルミニウムなどの金属材により製作されており、基板２の上下の各辺に沿う横枠材４１，４２と、左右の各辺に沿う縦枠材４３，４４と、横枠材４１，４２と縦枠材４３．４４との繋ぎ目に介在させるコーナ枠材４５とで構成されている。
【００１７】
各横枠材４１，４２および各縦枠材４３，４４の前面には、図２に示すように、２本の平行な切溝５０，５０が形成されており、この２本の直線状をなす切溝５０，５０により挟まれる帯状領域５に蓄光テープ６が各枠材の全長にわたって貼付されている。この帯状領域５は、横枠材４１，４２および縦枠材４３，４４の幅より小幅であり、横枠材４１，４２および縦枠材４３，４４の前面の幅中央に位置している。この帯状領域５に帯状領域５の幅とほぼ同じ幅の蓄光テープ６を貼設することにより表示面３の四方を取り囲む蓄光領域６０が形成されている。なお、図示例の切溝５０は断面形状がＶ字状であるが、そのような形状に限られるものではない。
【００１８】
各コーナ枠材４５の前面にも、横枠材４１，４２および縦枠材４３，４４の各切溝５０と連続するＶ字状の切溝５０，５０が形成されている。この切溝５０，５０により挟まれる帯状領域に蓄光テープ６を貼設して蓄光領域６０を形成することが可能であるが、この実施例では、各コーナ枠材４５には蓄光テープ６を貼設していない。
【００１９】
前記蓄光テープ６は、蓄光顔料を含有したアクリル樹脂、ウレタン樹脂などの樹脂テープであり、昼光、蛍光灯の光などのエネルギーを吸収して一時的に蓄え、停電などの真っ暗な状態になると、蓄えた光を徐々に放出して発光する。
【００２０】
図３〜図５は、各横枠材４１，４２および各縦枠材４３，４４の前面に形成された帯状領域５、および各帯状領域５に蓄光テープ６を貼設して形成される蓄光領域６０の他の実施例を示している。
図３は、各横枠材４１，４２および各縦枠材４３，４４の前面に２本の平行な凸条５１，５１を形成したもので、２本の直線状をなす凸条５１，５１により挟まれる帯状領域５に蓄光テープ６を各枠材の全長にわたって貼付し、これにより蓄光領域６０が形成されている。なお、図示の凸条５１は断面形状が逆Ｖ字状であるが、そのような形状に限られるものではない。
【００２１】
図４は、各横枠材４１，４２および各縦枠材４３，４４の前面に１本の凹溝部５２を直線状に形成したものである。この凹溝部５２は帯状をなす平坦な溝底部を有し、この溝底部を帯状領域５として、この帯状領域５に蓄光テープ６を貼付することにより蓄光領域６０が形成されている。
【００２２】
図５は、各横枠材４１，４２および各縦枠材４３，４４の前面に１本の突状部５３を直線状に形成したものである。この突状部５３は帯状をなす平坦な頂面を有し、この頂面を帯状領域５として、この帯状領域５に蓄光テープ６を貼付することにより蓄光領域６０が形成されている。
【００２３】
図６は、この発明の他の実施例の掲示板１を示している。図示例の掲示板１は、基板２の前面の表示面３が縦に長い矩形状であり、この基板２の端縁沿いに表示面３を全周にわたって取り囲むようにアルミニウムなどより成る縁枠４が設けられている。縁枠４は、横枠材４１，４２、縦枠材４３，４４、およびコーナ枠材４５により構成されており、掲示物をワンタッチで着脱できるように各横枠材４１，４２および各縦枠材４３，４４が開閉可能な構造になっている。図示例の掲示板１は、表示面３に対応する形状および大きさのポスターを表示面３との間で外周縁を挟持することにより画鋲なしで貼付することが可能である。
【００２４】
各横枠材４１，４２および各縦枠材４３，４４は、図７に示すように、前面が平坦面になっており、この平坦な前面の幅中央部に蓄光テープ６を各枠材の全長にわたって貼付することにより、表示面３の四方を取り囲む蓄光領域６０が形成されている。図示例では、蓄光テープ６として各横枠材４１，４２および各縦枠材４３，４４の幅より小さな幅のものを用いているが、各横枠材４１，４２および各縦枠材４３，４４と同一幅のものを用いて、各枠材４１〜４４の全幅にわたる蓄光領域６０を形成してもよい。また、この実施例では、各横枠材４１，４２および各縦枠材４３，４４の前面に前記した帯状領域５を形成することなく蓄光テープ６を貼付しているが、前記した切溝５０、凸条５１、凹溝部５２、突状部５３のいずれかによる帯状領域５をそれぞれ形成して、各帯状領域５に蓄光テープ６を貼付するようにしてもよい。
【００２５】
図８は、この発明のさらに他の実施例にかかる掲示板１を示している。図示例の掲示板１は、基板２の前面の表示面３が横に長い矩形状であり、この基板２の端縁沿いに表示面３を全周にわたって取り囲むように第１の縁枠４、および第１の縁枠４の内側に第２の縁枠７がそれぞれ設けられている。第１の縁枠４は横枠材４１，４２、縦枠材４３，４４、およびコーナ枠材４５により構成され、また、第１、第２の各縁枠４，７は、横枠材７１，７２および縦枠材７３，７４により構成され、いずれもアルミニウムなどの金属材により製作されている。第１の縁枠４と第２の縁枠７との間の基板２の前面には、図９に示すように、一定幅の帯状領域５が一周形成されており、この帯状領域５に蓄光テープ６を貼付して蓄光領域６０が形成されている。
【００２６】
図１０は、この発明の一実施例であるホワイトボード１０を示している。図示例のホワイトボード１０は、前面に筆記具による筆記に供される表示面３を備える基板２と、基板２の端縁沿いに表示面３を全周にわたって取り囲むように設けられる縁枠４および粉受け板８とで構成される。このホワイトボード１０は、図示しない金具によって壁面に取付け固定される。表示面３は横に長い矩形状であり、水性または油性インキのフェルトペンなどで筆記することが可能でありかつ拭き取りにより筆記文字などを消去することが可能である。基板２は、例えば、鉄板の表面を焼付け塗装したものが用いられ、永久磁石製の固定具により表示面３上に印刷物などが固定できるようになっている。
【００２７】
縁枠４は、基板２の上辺に沿う横枠材４１と、左右の各辺に沿う縦枠材４３，４４と、横枠材４１と縦枠材４３．４４との繋ぎ目に介在させるコーナ枠材４５とで構成され、縁枠４および粉受け板８はアルミニウムなどの金属材により製作されている。
【００２８】
横枠材４１および各縦枠材４３，４４の前面には、２本の平行な切溝などによって帯状領域５が形成され、この帯状領域５に蓄光テープ６が各枠材の全長にわたって貼付されている。この帯状領域５は、横枠材４１，４２および縦枠材４３，４４の幅より小幅であり、横枠材４１および縦枠材４３，４４の前面の幅中央に位置している。この帯状領域５に帯状領域５の幅とほぼ同じ幅の蓄光テープ６を貼設することにより表示面３の三方を取り囲む蓄光領域６０が形成されている。
【００２９】
なお、上記の掲示板１およびホワイトボード１０は、金具により壁面に取付け固定されるものであるが、図１１に示すように、４個のキャスター１２を有するスタンド１１により支持されるものであってもよい。
また、上記した各実施例の蓄光領域６０は、蓄光テープ６を貼付することにより形成されているが、これに限らず、図１、図２、および図１０の各実施例では縁枠４の前面に、図８の実施例では第１の縁枠４と第２の縁枠７との間の基板２の前面に、それぞれ蓄光塗料を一定幅に塗布することにより形成することもできる。この蛍光塗料は夜光塗料とも呼ばれ、昼光、蛍光灯の光などのエネルギーを吸収して一時的に蓄え、停電などの真っ暗な状態になると、蓄えた光を徐々に放出して発光する。
【００３０】
なお、上記の各実施例では、表示面３は横長または縦長の矩形状であり、矩形の４辺のうちの少なくとも３辺が縁枠４により取り囲まれるとともに、縁枠４を構成する全ての横枠材４１，４２および縦枠材４３，４４の前面側に蓄光領域６０が形成されているが、図１２に示すように横枠材４１，４２にのみ蓄光領域６０を形成したり、図１３に示すように一方の横枠材４１と一方の縦枠材４３にのみ蓄光領域６０を形成したり、図１４に示すように一方の横枠材４２にのみ蓄光領域６０を形成したりしてもよい。
また、上記の各実施例は、表示面３が矩形状であるが、これに限らず、図１５に示すように、８角形など、種々の形態のものであってもよい。
【００３１】
上記した構成の掲示板１またはホワイトボード１０において、基板２の表示面３を取り囲む縁枠４の前面に帯状の蓄光領域６０が縁枠４の長さ方向に沿って形成されているので、照明のない暗闇の下で縁枠４の長さ方向に沿う帯状の蓄光領域６０が光を発し、掲示板１やホワイトボード１０の存在位置を認識することができる。マンションや商業ビルなどに設置される掲示板やホワイトボードなどはその設置位置が住人やテナントなどに周知されており、災害発生による停電時に、縁枠４の前面の帯状の蓄光領域６０が光を発して避難のための目印になるので、住人やテナントなどに避難経路が教唆され、近傍の玄関口より屋外へ脱出することが可能となる。
【符号の説明】
【００３２】
１    掲示板
２    基板
３    表示面
４    縁枠
５    帯状領域
６    蓄光テープ
１０  ホワイトボード
４１，４２  横枠材
４３，４４  縦枠材
５０  切溝
６０  蓄光領域
【図１】
2013235116.tif 000003
【図２】
2013235116.tif 000004
【図３】
2013235116.tif 000005
【図４】
2013235116.tif 000006
【図５】
2013235116.tif 000007
【図６】
2013235116.tif 000008
【図７】
2013235116.tif 000009
【図８】
2013235116.tif 000010
【図９】
2013235116.tif 000011
【図１０】
2013235116.tif 000012
【図１１】
2013235116.tif 000013
【図１２】
2013235116.tif 000014
【図１３】
2013235116.tif 000015
【図１４】
2013235116.tif 000016
【図１５】
2013235116.tif 000017